(57)【要約】【課題】より直感的な住所や地名を場所情報として画像情報に付加することができる画像撮像装置及び画像処理方法を提供する。【解決手段】画像撮像装置は、光学像を撮像して画像情報に変換する撮像部３０と、符号化された所定の情報を含む光学像が撮像部３０によって撮像された場合、撮像によって得られた画像情報に基づいて符号化された所定の情報を、第１の情報及び第２の情報に復号化する画像復号手段５８と、画像復号手段５８で復号化した第１の情報及び第２の情報を記憶する記憶部３２と、位置検出システムから第３の情報を取得する位置情報取得部３８と、第３の情報と、記憶部３２に記憶した第２の情報とを照合する位置情報照合手段６８と、記憶部３２に記憶した第１の情報を、撮像部３０によって撮像された光学像の画像情報に付加設定する属性情報設定手段７０と、を含む。【選択図】図３
2007142705.tif 000002
【特許請求の範囲】
【請求項１】
光学像を撮像して画像情報に変換する撮像部と、
符号化された所定の情報を含む光学像が前記撮像部によって撮像された場合、前記撮像
によって得られた画像情報に基づいて前記符号化された所定の情報を、第１の情報及び第
２の情報に復号化する画像復号手段と、
前記画像復号手段で復号化した前記第１の情報及び前記第２の情報を記憶する記憶部と
、
位置検出システムから第３の情報を取得する位置情報取得部と、
前記第３の情報と、前記記憶部に記憶した前記第２の情報とを照合する位置情報照合手
段と、
前記記憶部に記憶した前記第１の情報を、前記撮像部によって撮像された光学像の画像
情報に付加設定する属性情報設定手段と、
を含む画像撮像装置。
【請求項２】
請求項１に記載された画像撮像装置において、
前記符号化された所定の情報は、バーコード、２次元コードまたはそれらの組み合わせ
で表示される画像撮像装置。
【請求項３】
請求項１または請求項２に記載された画像撮像装置において、
前記第１の情報は、文字情報、音声情報、イラスト情報またはそれらの組み合わせであ
る画像撮像装置。
【請求項４】
光学像を撮像して画像情報に変換する撮像部により前記画像情報を取得する手順と、
符号化された所定の情報を含む光学像が前記撮像部によって撮像された場合、前記撮像
によって得られた画像情報に基づいて前記符号化された所定の情報を、第１の情報及び第
２の情報を画像復号手段により取得する手順と、
前記画像復号手段で復号化した前記第１の情報及び前記第２の情報を記憶部に記憶する
手順と、
位置検出システムから第３の情報を位置情報取得部により取得する手順と、
前記第３の情報と前記記憶部に記憶した前記第２の情報とを位置情報照合手段により照
合する手順と、及び、
前記記憶部で記憶した前記第１の情報を、前記撮像部によって撮像された光学像の画像
情報に属性情報設定手段により付加設定する手順と、
を含む画像処理方法。
【発明の詳細な説明】
【技術分野】
【０００１】
本発明は、画像撮像装置及び画像処理方法に関する。
【背景技術】
【０００２】
近年、急速に普及してきているデジタルカメラは、ＣＣＤ等の撮像素子を備え、撮像素
子によって光学像を撮影し、撮影によって得られたアナログの画像信号をデジタルの画像
情報に変換した後にスマートメディア等の情報記憶媒体（メモリカード）に記憶する構成
であり、ユーザが、撮影によって得られた画像情報をラボに送って写真プリントの作成を
依頼することで高画質の写真プリントを得ることができる。さらに、画像情報が表す画像
をユーザが所持しているプリンタにより紙等に簡易的に記録することも可能とされている
。さらに、写真プリント時に重畳させたい文字、イラスト等を、カメラで認識させ画像と
共に記録しておく事で、お店プリント時に画像にイラスト等を重畳させることが容易にな
っている（例えば、特許文献１参照）。
【０００３】
また、撮影によって得られたアナログの画像信号をデジタルの画像情報に変換した後に
ストレージ等の情報記憶媒体に記憶することで、ユーザは自宅のストレージ等に多くのプ
ライベートコンテンツを蓄える結果となっている。その際、画像情報の整理方法として、
多くのユーザは撮影日時や旅行先、行事名をファイル名またはフォルダ名に設定すること
で、それらのコンテンツを管理している。また、ＧＰＳ搭載デジタルカメラが登場し、撮
影と同時に位置情報が保存できるようになり、位置情報によるコンテンツ管理も可能にな
ってきている。
【０００４】
【特許文献１】特開２００１−３２６８０２号公報
【発明の開示】
【発明が解決しようとする課題】
【０００５】
ところが、ＧＰＳ情報は緯度、経度からなる位置情報であり、住所、地名等への２次加
工が必要になる。コンテンツ整理の情報としては、より直感的な住所や地名を場所情報と
して撮影画像情報に付加するデジタルカメラが望まれる。
【０００６】
本発明の目的は、上記事実を考慮して成されたもので、より直感的な住所や地名を場所
情報として画像情報に付加することができる画像撮像装置及び画像処理方法を提供するこ
とが目的である。
【課題を解決するための手段】
【０００７】
（１）本発明に係る画像撮像装置は、光学像を撮像して画像情報に変換する撮像部と、
符号化された所定の情報を含む光学像が前記撮像部によって撮像された場合、前記撮像に
よって得られた画像情報に基づいて前記符号化された所定の情報を、第１の情報及び第２
の情報に復号化する画像復号手段と、前記画像復号手段で復号化した前記第１の情報及び
前記第２の情報を記憶する記憶部と、位置検出システムから第３の情報を取得する位置情
報取得部と、前記第３の情報と、前記記憶部に記憶した前記第２の情報とを照合する位置
情報照合手段と、前記記憶部に記憶した前記第１の情報を、前記撮像部によって撮像され
た光学像の画像情報に付加設定する属性情報設定手段と、を含む。本発明によれば、画像
撮像装置に符号化された所定の情報の画像情報の第２の情報と、位置検出システムから取
得した第３の情報とが位置情報照合手段で照合されることになる。このように、画像撮像
装置の位置情報照合手段を利用して符号化された所定の情報の画像情報の第２の情報と、
位置検出システムから取得した第３の情報とが照合されるので、より直感的な住所や地名
を場所情報として、位置情報から場所情報に変換するデータベース等を搭載することなく
、正確に画像情報に付加することができる画像撮像装置を提供することができる。
【０００８】
（２）この画像撮像装置は、前記符号化された所定の情報は、バーコード、２次元コー
ドまたはそれらの組み合わせで表示されてもよい。
【０００９】
（３）この画像撮像装置は、前記第１の情報は、文字情報、音声情報、イラスト情報ま
たはそれらの組み合わせであってもよい。
【００１０】
（４）本発明に係る画像処理方法は、光学像を撮像して画像情報に変換する撮像部によ
り前記画像情報を取得する手順と、符号化された所定の情報を含む光学像が前記撮像部に
よって撮像された場合、前記撮像によって得られた画像情報に基づいて前記符号化された
所定の情報を、第１の情報及び第２の情報を画像復号手段により取得する手順と、前記画
像復号手段で復号化した前記第１の情報及び前記第２の情報を記憶部に記憶する手順と、
位置検出システムから第３の情報を位置情報取得部により取得する手順と、前記第３の情
報と前記記憶部に記憶した前記第２の情報とを位置情報照合手段により照合する手順と、
及び、前記記憶部で記憶した前記第１の情報を、前記撮像部によって撮像された光学像の
画像情報に属性情報設定手段により付加設定する手順と、を含む。本発明によれば、画像
処理方法で符号化された所定の情報の画像情報の第２の情報と、位置検出システムから取
得した第３の情報とが位置情報照合手段で照合されることになる。このように、画像撮像
装置の位置情報照合手段を利用して符号化された所定の情報の画像情報の第２の情報と、
位置検出システムから取得した第３の情報とが照合されるので、より直感的な住所や地名
を場所情報として、位置情報から場所情報に変換するデータベース等を搭載することなく
、正確に画像情報に付加することができる画像処理方法を提供することができる。
【発明を実施するための最良の形態】
【００１１】
以下、本発明を適用した実施の形態について図面を参照して説明する。
【００１２】
本実施の形態は、本発明に係る画像撮像装置をデジタルカメラに適用した例である。ま
た、本発明に係る画像処理方法をデジタルカメラの画像処理方法に適用した例である。画
像処理方法の理解を容易にするため、先に、完成品としてのデジタルカメラを説明する。
図１は、本発明を適用した実施の形態に係るデジタルカメラの外観図である。図２、図３
は、本発明を適用した実施の形態に係るデジタルカメラの機能ブロック図である。
【００１３】
図１（Ａ）に示すように、デジタルカメラ１０の本体１２は略箱型である。本体１２の
正面側中央には撮像レンズ１４が取り付けられており、本体１２の撮像レンズ１４上方に
は、ユーザが撮影範囲等を目視で確認するための光学ファインダ１６、低照度での撮影等
の場合に補助光を発するためのフラッシュ１８が取り付けられている。本体１２の上面に
は、電源ボタン２０及びシャッターボタン２２が取り付けられている。
【００１４】
また図１（Ｂ）に示すように、本体１２の背面の下方側には、反射型表示デバイス又は
透過型表示デバイス（例えばＬＣＤ）から成る液晶ファインダ２４が取り付けられており
、液晶ファインダ２４の上方側には、モード切り換えボタン２６及びモードインジケータ
２８が各々取り付けられている。
【００１５】
また、図２に示すように、デジタルカメラ１０は、撮像部３０、記憶部３２、表示部３
４、入力部３６、位置情報取得部３８、制御部４０、およびインターフェイス部４２など
を備えている。
【００１６】
撮像部３０は、被写体からの光を集光するための撮像レンズ１４、撮像レンズ１４で集
光された光が入射されその光を電気信号に変換する撮像手段４４、撮像手段４４から出力
された電気信号をデジタルデータに変換するＡ／Ｄ変換器４６などを有している。撮像手
段４４としては、電荷蓄積型の光センサであるＣＣＤ（Charge Coupled Device）センサ
、あるいはＣＭＯＳ（Complementary Metal-Oxide Semiconductor）センサなどが使用さ
れる。撮像手段４４には、例えばＲ（Red）、Ｇ（Green）、Ｂ（Blue）からなる原色のカ
ラーフィルタ、あるいはＣ（Cyan）、Ｍ（Magenta）、Ｙ（Yellow）、Ｇ（GREEN）からな
る補色のカラーフィルタが設けられており、カラー画像の撮影が可能となっている。撮像
部３０は、光学像（人物／風景４８や２次元コード５０）を撮影して画像情報に変換する
。撮影した人物／風景４８や２次元コード５０の画像情報は撮影モード切り換え手段５２
に送られる。
【００１７】
記憶部３２には、Ａ／Ｄ変換器４６から出力されたデジタルデータ、ならびにこのデジ
タルデータに例えば色調補正、画素補完、あるいは圧縮などの画像処理を施して作成され
る画像情報を一時的に記憶するＲＡＭ（Random Access Memory）５４と、記録するフラッ
シュメモリ５６などとが設けられている。フラッシュメモリ５６は通電しなくても記録さ
れたデータの内容を保持することができる書き換え可能な記録媒体である。フラッシュメ
モリ５６は、デジタルカメラ１０に内蔵、またはデジタルカメラ１０の図示しないカード
スロットに着脱自在に設けられている。フラッシュメモリ５６としては、例えばＰＣＭＣ
ＩＡ規格に準拠したメモリカード、またはＰＣＭＣＩＡカードアダプタに取り付けられる
メモリカードを使用することにより、ＰＣＭＣＩＡカード用スロットを有する図示しない
パーソナルコンピュータでフラッシュメモリ５６の内容を直接読み書き可能である。記憶
部３２は、画像復号手段５８で復号化した第１の情報及び第２の情報を記憶する。記憶部
３２には、場所情報記憶手段６０、画像記憶手段６２、及び位置情報記憶手段６４より各
データが保存される。
【００１８】
表示部３４は、画像を表示する液晶ファインダ２４、ならびに液晶ファインダ２４に表
示するためのデータが格納されるＶＲＡＭ６６を有している。液晶ファインダ２４は、デ
ジタルデータまたは画像情報に基づく画像を表示する。撮影時には撮像部３０により撮影
されたデジタルデータに基づいて画像を表示することにより、液晶ファインダ２４はビュ
ーファインダーとして使用される。また、再生時にはフラッシュメモリ５６に記録されて
いる圧縮された画像情報に基づく画像を表示する。表示部３４は、位置情報照合手段６８
から送られて来た警告メッセージを表示する。例えば、液晶ファインダ２４に「取得した
場所情報が間違っている恐れがあります！」を表示する。
【００１９】
入力部３６には、電源ボタン２０、シャッターボタン２２、及びモード切り換えボタン
２６が設けられる。
【００２０】
位置情報取得部３８は、定期的に位置検出システム（図示せず）から位置情報である第
３の情報を取得する。例えばＧＰＳ（Global Positioning System）を用いる。
【００２１】
制御部４０は、図示しないＣＰＵ（Central Processing Unit）、ならびにデジタルカ
メラ１０の様々な制御を行うためのプログラムが記録されたＲＯＭなどを有している。制
御部４０には、撮影の開始を指示するためのシャッターボタン２２、ならびにユーザから
デジタルカメラ１０への入力を行うためのモード切り換えボタン２６が接続されている。
また制御部４０は、図３に示すように、撮影モード切り換え手段５２、画像復号手段５８
、場所情報記憶手段６０、画像記憶手段６２、位置情報記憶手段６４、位置情報照合手段
６８、及び属性情報設定手段７０として機能する。
【００２２】
撮影モード切り換え手段５２は、ユーザ７２の指示で入力部３６のモード切り換えボタ
ン２６により撮影モードを切り換える。通常モードでは光学像としての人物／風景４８が
撮影対象であり、撮像部３０から送られてきた人物／風景４８の画像情報を属性情報設定
手段７０に送る。場所情報取得モードでは、符号化された所定の情報を含む光学像として
の２次元コード５０が撮影対象であり、撮像部３０から送られてきた２次元コード５０の
画像情報を画像復号手段５８に送る。
【００２３】
画像復号手段５８は、２次元コード５０が撮像部３０によって撮像された場合、撮像に
よって得られた画像情報に基づいて符号化された所定の情報を、第１の情報及び第２の情
報に復号化する。符号化された所定の情報を含む光学像は、バーコード、２次元コードま
たはそれらの組み合わせで表示されてもよい。画像復号手段５８は、２次元コード５０の
画像情報を復号し、第１の情報としての場所情報（例えば住所、地名、ランドマーク）を
取得し、場所情報記憶手段６０に送る。また、２次元コード５０の画像情報を復号し、第
２の情報としての位置情報（例えば緯度、経度）を取得し、位置情報記憶手段６４に送る
。第１の情報は、文字情報、音声情報、イラスト情報またはそれらの組み合わせであって
もよい。ここで２次元コード５０の復号は既存のデコード技術を使用してもよい。２次元
コード５０は、例えば、図７に示すように、ＱＲコード（Ｒ）である。ＱＲコード（Ｒ）
の内容は、例えば、「Ｎ０３６．５，Ｅ１３７．５，諏訪湖」である。その他にＰＤＦ４
１７、ＤａｔａＭａｔｒｉｘ、Ｍａｘｉ  Ｃｏｄｅ、サイバーコードなどであってもよい
。
【００２４】
場所情報記憶手段６０は、画像復号手段５８で取得した２次元コード５０の画像情報の
場所情報を記憶部３２に保存し、属性情報設定手段７０に送る。例えば、不揮発性の内蔵
メモリにテキスト情報として記録する。
【００２５】
画像記憶手段６２は、属性情報設定手段７０でタグ付けされた人物／風景４８の画像情
報を記憶部３２に保存する。例えばＳＤカード等に画像情報を記録する。
【００２６】
位置情報記憶手段６４は、画像復号手段５８で取得した２次元コード５０の画像情報の
位置情報を記憶部３２に保存し、位置情報照合手段６８に送る。例えば不揮発性の内蔵メ
モリにテキストまたは数値情報として記録する。
【００２７】
位置情報照合手段６８は、位置情報記憶手段６４に記録されている２次元コード５０の
画像情報の第２の情報と、位置情報取得部３８から送られてきた第３の情報とを照合し判
定する。大きな乖離がある場合、警告メッセージを表示部３４に出力する。乖離の判定方
法については、例えば、位置情報記憶手段６４に記録されている２次元コード５０の画像
情報の位置情報と、位置情報取得部３８から送られてきた位置情報との２点間の距離が１
００ｍ以内かどうかを照合し判定する。２点間の距離が１００ｍを超える場合、警告メッ
セージを表示部３４に出力する。
【００２８】
属性情報設定手段７０は、記憶部３２に記憶した第１の情報としての場所情報を、撮像
部３０によって撮像された光学像の画像情報に付加設定する。属性情報設定手段７０は、
撮像した人物／風景４８の画像情報に対し、場所情報記憶手段６０に保存されている場所
情報をタグ付けする。例えば、ＥＸＩＦファイルであれば、ヘッダ部分にあるメーカ独自
使用可能領域にテキスト情報として場所情報を挿入する。
【００２９】
インターフェイス部４２には、フラッシュメモリ５６に記録されている内容を外部の、
例えばパーソナルコンピュータなどの処理装置に出力するためのケーブルが接続される。
インターフェイス部４２の規格としては、シリアル方式、あるいはＵＳＢ（Universal Se
rial Bus）方式などが使用される。シャッターボタン２２は、図１の上下方向に往復移動
する。制御部４０は図示しないシャッターストローク検出手段を介してシャッターボタン
２２が可動範囲の途中まで押し込まれた「半押し」状態と、可動範囲の限界近傍まで押し
込まれた「全押し」状態とを区別して認識する。
【００３０】
以上説明したように、画像撮像装置に符号化された所定の情報の画像情報の第２の情報
と、位置検出システムから取得した第３の情報とが位置情報照合手段で照合されることに
なる。このように、画像撮像装置の位置情報照合手段を利用して符号化された所定の情報
の画像情報の第２の情報と、位置検出システムから取得した第３の情報とが照合されるの
で、より直感的な住所や地名を場所情報として、位置情報から場所情報に変換するデータ
ベース等を搭載することなく、正確に画像情報に付加することができるという効果がある
。
【００３１】
次に、本実施の形態に係る画像情報としての画像情報のデータ構造について説明する。
図４は、本発明を適用した実施の形態に係るデータフォーマットである。撮像手段４４か
ら出力された電気信号は、Ａ／Ｄ変換器４６でデジタルデータに変換された後、画素の補
完、あるいは色調の補正などの画像処理を施し、例えばＥＸＩＦ（Exchangeable Image F
ile Format）ファイルなどの画像情報として圧縮される。この画像情報は一時的にＲＡＭ
５４に記憶された後、複製された画像情報がフラッシュメモリ５６に記録される。画像情
報は、フラッシュメモリ５６の記録領域に図４（Ａ）に示すように所定の配列で記録され
ている。例えば、撮影時期の最も古い画像情報Ｄ１からファイルネーム「００１．ＪＰＧ
」、Ｄ２「００２．ＪＰＧ」、Ｄ３「００３．ＪＰＧ」、Ｄ４「００４．ＪＰＧ」、Ｄ５
「００５．ＪＰＧ」の順で最新の画像情報Ｄｎ「００ｎ．ＪＰＧ」までが記録されている
。
【００３２】
図４（Ｂ）に示すようにこれらの画像情報Ｄｘ（以下、「ｘ」は１からｎまでの整数）
は、画像情報本体Ｄｘｂ、およびヘッダＤｘｈからなるデータ構造を有している。画像情
報本体Ｄｘｂは、例えばＥＸＩＦファイルの場合、輝度Ｙ、色差ＣｒおよびＣｂのデータ
を有している。この画像情報本体Ｄｘｂは、撮影した画像、あるいはその画像の画質など
により大きさ、すなわちデータ量が異なる。ヘッダＤｘｈは画像情報本体Ｄｘｂに関する
各種の情報を有している。ヘッダＤｘｈは、例えばファイル名のデータＨｎ、撮影日時の
データＨｄ、撮影者のデータＨｍ、シャッタースピードや露出などの撮影時の条件のデー
タＨｃ、画像情報本体Ｄｘｂを所定の割合で縮小したサムネイルデータＨｓ、ならびに優
先順位データＨｐを有している。
【００３３】
次に、本実施の形態に係るデジタルカメラ１０の作動について説明する。図５及び図６
は、本発明を適用した実施の形態に係るフローチャートである。
【００３４】
本実施の形態に係る作用として、デジタルカメラ１０の電源ボタン２０が投入されてい
る間にＣＰＵで実行される処理について、図５及び図６のフローチャートを参照して説明
する。本実施の形態に係るデジタルカメラ１０は、制御部４０により撮影待機状態または
再生状態のいずれかに制御される。
【００３５】
（撮影待機状態）ユーザがデジタルカメラ１０の電源ボタン２０を投入し、モード切り
換えボタン２６を「通常モード」にすると、デジタルカメラ１０は通常モード撮影を実施
可能な撮影待機状態となる。この撮影待機状態のとき、ユーザからシャッターボタン２２
が押し込まれると、光学像（被写体）の撮影が実行される。
【００３６】
このとき、撮像部３０の撮像手段４４では数分の１秒〜数十分の１秒毎に撮像レンズ１
４により集光された光がその光量に応じた電気信号に変換される。変換された電気信号は
、Ａ／Ｄ変換器４６でデジタルデータに変換される。変換されたデジタルデータはＶＲＡ
Ｍ６６に転送され、被写体が動画として液晶ファインダ２４に表示される。ユーザは液晶
ファインダ２４に表示された被写体の画像を見ながら、撮影の構図を決定する。
【００３７】
（撮影の実行）１．デジタルカメラ１０が撮影待機状態のとき、ユーザによりシャッタ
ーボタン２２が押し込まれ「半押し」状態となると、露光および焦点が設定され固定され
る。撮影時の露光は、撮像手段４４から出力される光量データに基づいて制御部が撮像レ
ンズ１４の絞りやシャッタースピード、すなわち撮像手段４４の電荷蓄積時間を制御する
ことにより変更される。デジタルカメラ１０のシャッターは、物理的に光を遮る機械的な
シャッター、あるいは撮像手段４４の電荷蓄積時間を制御する電子シャッターのいずれか
一方または両方が使用される。
【００３８】
２．ユーザによりシャッターボタン２２が押し込まれ「全押し」状態となると、以下の
ような処理が行われる。まず、被写体に対し正確な測光、焦点合わせなどを行う。測光、
焦点合わせが完了すると、撮像手段４４に蓄積されている電荷が一旦すべて放電され、撮
像レンズ１４により集光された被写体からの光が撮像手段４４へ入射する。撮像手段４４
は入射した光の光量に応じた電荷の量に基づいて電気信号を出力する。
【００３９】
３．撮像手段４４から出力された電気信号はＡ／Ｄ変換器４６によりデジタルデータに
変換される。変換されたデジタルデータは、高速化のためＤＭＡ（Direct Memory Access
）により制御部４０を介さずに直接ＲＡＭ５４のアドレスを指定して一時的に記憶される
。ＲＡＭ５４に記憶されたデジタルデータはホワイトバランスの調整、補間処理、色補正
などの各種の補正が行われた後、フラッシュメモリ５６への記録枚数を増加させるために
ＥＸＩＦなどのファイル形式に圧縮され、画像情報として作成される。ＥＸＩＦファイル
は制御部４０によってソフトウェアにより所定のアルゴリズムで作成されるほか、高速化
のために専用の回路を設けることも可能である。
【００４０】
４．圧縮が完了すると、ＲＡＭ５４に記憶されている画像情報はフラッシュメモリ５６
へ複製され、記録される。
【００４１】
また、上記撮影の実行において、本実施の形態に係るデジタルカメラ１０は、以下のよ
うに作動する。まず図５に示すように、モード切り換えボタン２６が押されたか否かを判
断する（ステップＳ１００）。そして、モード切り換えボタン２６が押された場合は、モ
ードが通常モードか否かを判断する（ステップＳ１１０）。そして、通常モードと判断さ
れた場合は、モードを通常モードから場所情報取得モードに切り換える（ステップＳ１２
０）。通常モードでないと判断された場合は、モードを通常モードに切り換える（ステッ
プＳ１３０）。そしてステップＳ１４０へ移行する。
【００４２】
一方、ステップＳ１００でモード切り換えボタン２６が押されていないと判断された場
合は、シャッターボタン２２が押されたか否かを判断する（ステップＳ１４０）。
【００４３】
そして、シャッターボタン２２が押されたと判断された場合は、モードが通常モードか
否かを判断する（ステップＳ１５０）。そして、モードが通常モードと判断された場合は
、場所情報記憶手段６０により記憶部３２に保存済みの第１の情報としての場所情報を属
性情報設定手段７０により撮像部３０によって撮像された光学像としての人物／風景４８
の画像情報にタグ情報として付加する（ステップＳ１６０）。そして画像情報を画像記憶
手段６２により記憶部３２に保存する（ステップＳ１７０）。モードが通常モードでない
と判断された場合、つまり符号化された所定の情報を含む光学像が撮像部３０によって撮
像された場合である。この場合は、撮像部３０によって撮像された光学像としての２次元
コード５０（符号化された所定の情報を含む光学像）の画像情報を画像復号手段５８によ
り解析して第１の情報としての場所情報及び第２の情報としての位置情報を取得する（ス
テップＳ１８０）。そして第１の情報としての場所情報を場所情報記憶手段６０により記
憶部３２に保存する（ステップＳ１９０）。そして第２の情報としての位置情報を位置情
報記憶手段６４により記憶部３２に保存する（ステップＳ２００）。そしてモードを通常
モードに切り換える（ステップＳ２１０）。そしてステップＳ２２０へ移行する。
【００４４】
一方、ステップＳ１４０でシャッターボタン２２が押されてないと判断された場合は、
位置情報確認処理を行う（ステップＳ２２０）。位置情報確認処理は、以降の位置情報確
認処理サブルーチンで説明する。そして電源ボタン２０が押されたか否かを判断する（ス
テップＳ２３０）。そして、電源ボタン２０が押されたと判断された場合は、デジタルカ
メラ１０の使用を終了する。電源ボタン２０が押されていないと判断された場合は、ステ
ップＳ１００へ移行する。
【００４５】
（位置情報確認処理サブルーチン）まず図６に示すように、位置検出システム（図示せ
ず）から位置情報取得部３８により第３の情報を取得する（ステップＳ３００）。例えば
、デジタルカメラ１０に内蔵されたＧＰＳで位置情報を取得する。
【００４６】
次に、記憶部３２に保存した２次元コード５０の第２の情報を呼び出す（ステップＳ３
１０）。
【００４７】
次に、第３の情報と、第２の情報との２点間の距離を計算する（ステップＳ３２０）。
【００４８】
次に、位置情報照合手段６８で上記２点間の距離が閾値以上か否かを照合し判定する（
ステップＳ３３０）。そして、上記２点間の距離が閾値以上と判断された場合は、警告メ
ッセージを表示部３４に表示する（ステップＳ３４０）。そして位置情報確認処理を終了
する。上記２点間の距離が閾値未満と判断された場合は、位置情報確認処理を終了する。
これにより、ＧＰＳ連携による位置情報確認で、誤った場所情報を付加することを回避で
きる。
【００４９】
（再生状態）ユーザがデジタルカメラ１０の電源ボタン２０を投入し、「再生」モード
（図示しない）にすると液晶ファインダ２４の電源がＯｎになり、フラッシュメモリ５６
に記録されている画像情報が液晶ファインダ２４で再生される再生状態となる。
【００５０】
なお、上記のように撮影待機状態または再生状態だけでなく、例えば液晶ファインダ２
４を用いずに撮影を実行することが可能な節電撮影状態などをさらに設けることも可能で
ある。
【００５１】
なお、２次元コード５０は、観光地を中心に街中に掲示サービスをしてもよい。同サー
ビスがない場合、撮影場所に２次元コード５０があることを期待できないため、例えば、
予め旅行先の地名を２次元コード化しプリントしたものを持参し、場所情報の入力が必要
になった際にプリントした２次元コード５０を撮影してもよい。
【００５２】
以上説明したように、画像処理方法で符号化された所定の情報の画像情報の第２の情報
と、位置検出システムから取得した第３の情報とが位置情報照合手段で照合されることに
なる。このように、画像撮像装置の位置情報照合手段を利用して符号化された所定の情報
の画像情報の第２の情報と、位置検出システムから取得した第３の情報とが照合されるの
で、より直感的な住所や地名を場所情報として、位置情報から場所情報に変換するデータ
ベース等を搭載することなく、正確に画像情報に付加することができるという効果がある
。
【００５３】
なお、本発明は、上述した実施の形態に限定されるものではなく、種々の変形が可能で
ある。例えば、本発明は、実施の形態で説明した構成と実質的に同一の構成（例えば、機
能、方法及び結果が同一の構成、あるいは目的及び結果が同一の構成）を含む。また、本
発明は、実施の形態で説明した構成の本質的でない部分を置き換えた構成を含む。また、
本発明は、実施の形態で説明した構成と同一の作用効果を奏する構成又は同一の目的を達
成することができる構成を含む。また、本発明は、実施の形態で説明した構成に公知技術
を付加した構成を含む。さらに、本発明は、実施の形態で説明した技術的事項のいずれか
を限定的に除外した内容を含む。あるいは、本発明は、上述した実施の形態から公知技術
を限定的に除外した内容を含む。
【図面の簡単な説明】
【００５４】
【図１】本発明を適用した実施の形態に係るデジタルカメラの外観図である。
【図２】本発明を適用した実施の形態に係るデジタルカメラの機能ブロック図である。
【図３】本発明を適用した実施の形態に係るデジタルカメラの機能ブロック図である。
【図４】本発明を適用した実施の形態に係るデータフォーマットである。
【図５】本発明を適用した実施の形態に係るフローチャートである。
【図６】本発明を適用した実施の形態に係るフローチャートである。
【図７】本発明を適用した実施の形態に係る２次元コードである。
【符号の説明】
【００５５】
１０…デジタルカメラ  １２…本体  １４…撮像レンズ  １６…光学ファインダ  １８
…フラッシュ  ２０…電源ボタン  ２２…シャッターボタン  ２４…液晶ファインダ  ２
６…モード切り換えボタン  ２８…モードインジケータ  ３０…撮像部  ３２…記憶部  
３４…表示部  ３６…入力部  ３８…位置情報取得部  ４０…制御部  ４２…インターフ
ェイス部  ４４…撮像手段  ４６…Ａ／Ｄ変換器  ４８…人物／風景  ５０…２次元コー
ド  ５２…撮影モード切り換え手段  ５４…ＲＡＭ  ５６…フラッシュメモリ  ５８…画
像復号手段  ６０…場所情報記憶手段  ６２…画像記憶手段  ６４…位置情報記憶手段  
６６…ＶＲＡＭ  ６８…位置情報照合手段  ７０…属性情報設定手段  ７２…ユーザ。
【図１】
2007142705.tif 000003
【図２】
2007142705.tif 000004
【図３】
2007142705.tif 000005
【図４】
2007142705.tif 000006
【図５】
2007142705.tif 000007
【図６】
2007142705.tif 000008
【図７】
2007142705.tif 000009